(57)【特許請求の範囲】
【請求項１】
枠状のケース体と、このケース体の前面側に配置される表示パネルと、前記表示パネルを照明するための第１の光源および第２の光源と、前記第１の光源の光を前記表示パネルの第１の表示領域に導く第１の導光体と、前記第２の光源の光を前記表示パネルの第２の表示領域に導く第２の導光体と、前記第１の導光体と前記第２の導光体との間であって少なくとも重合領域を含む範囲に配置される遮光部材と、を備えた表示装置において、前記ケース体に第１の導光体を配置するとともに、前記第２の光源と対峙する前記第２の導光体の受光部の領域を除いた側周面を覆う周壁部と底面を覆う底面部とを設けた前記遮光部材に前記第２の導光体を保持した状態にて前記第１の導光体の上部に配置し、前記遮光部材は、前記ケース体に対して位置決めされる一対の凸部を備え、その凸部を基準に回転させた後前記ケース体にフック止めされることを特徴とする表示装置。
【請求項２】
前記第１の光源および前記第２の光源と対向する前記第１の導光体および第２の導光体の受光部側の板厚寸法を厚く形成するとともに、前記各光源から遠方に位置する各導光体の板厚寸法を薄く形成してなることを特徴とする請求項１に記載の表示装置。
【請求項３】
前記第１の導光体と前記第２の導光体との間であって、前記遮光部材の底面から延びる遮光壁部を前記第１の導光体の前記受光部と前記第２の導光体の前記受光部との位置からさらに前記各光源側に延出してなることを特徴とする請求項１または請求項２に記載の表示装置。
【請求項４】
前記表示パネルと前記第１および第２の導光体との間に拡散板を配設してなることを特徴とする請求項１から請求項３のいずれかに記載の表示装置。 
【請求項５】
前記拡散板には、前記表示パネルの第１の表示領域と第２の表示領域との境目箇所に拡散処理を施してなることを特徴とする請求項４に記載の表示装置。
【請求項６】
前記遮光部材が白色系の合成樹脂からなることを特徴とする請求項４または請求項５に記載の表示装置。
【発明の詳細な説明】
【技術分野】
【０００１】
本発明は、例えば自動車、オートバイ、船舶をはじめとする移動体の計器に組み込まれる表示装置に関し、特に液晶表示パネルの表示領域を複数に区分けし、その区分けされた表示領域をそれぞれ照明するのに好適な表示装置に関する。
【背景技術】
【０００２】
従来の表示装置は、例えば、特許文献１に開示されるものがある。この表示装置は、表示パネルと、第１の光源と、第２の光源と、第１の光源の光を表示パネルの第１の領域に導く第１の導光体と、第２の光源の光を表示パネルの第２の領域に導く第２の導光体とを少なくとも有し、第１，第２の光源は第１，第２の領域を異なる色で照明可能に設定され、第１の導光体と第２の導光体とが表示パネルに対応する領域において表示パネルの厚み方向に重なる重合領域を備えており、第１の導光体と第２の導光体との間であって少なくとも重合領域を含む範囲に第１の遮光部材を設けることによって、異色光が混合することによる照明品質の低下を防止することが可能な表示装置を提供するものであった。
【先行技術文献】
【特許文献】
【０００３】
【特許文献１】特開２００８−１０７１６９号公報
【発明の概要】
【発明が解決しようとする課題】
【０００４】
ところで、このような特許文献１に記載の表示装置は、ケース体（液晶ホルダー）に対し、第１の導光体と第１の遮光部材と第２の導光体とを積み上げられる構造であるため部品点数が多く、組み付け作業性が複雑となってしまうといった問題点があった。
【０００５】
そこで本発明は、前記問題点を解消し、組み付け作業性を容易にすることができる表示装置を提供することを目的とするものである。
【課題を解決するための手段】
【０００６】
本発明は前述した課題を解決するため、請求項１では、枠状のケース体と、このケース体の前面側に配置される表示パネルと、前記表示パネルを照明するための第１の光源および第２の光源と、前記第１の光源の光を前記表示パネルの第１の表示領域に導く第１の導光体と、前記第２の光源の光を前記表示パネルの第２の表示領域に導く第２の導光体と、前記第１の導光体と前記第２の導光体との間であって少なくとも重合領域を含む範囲に配置される遮光部材と、を備えた表示装置において、前記ケース体に第１の導光体を配置するとともに、前記第２の光源と対峙する前記第２の導光体の受光部の領域を除いた側周面と底面とを覆うように設けた前記遮光部材に前記第２の導光体を保持した状態にて前記第１の導光体の上部に配置し、前記遮光部材は、前記ケース体に対して位置決めされる一対の凸部を備え、その凸部を基準に回転させた後前記ケース体にフック止めされることを特徴とする表示装置である。
【０００９】
このように構成することによって、フック止めにて簡単に固定保持することができる。
【００１０】
また請求項３では、前記遮光部材は、前記ケース体に対して位置決めされる一対の凸部を備え、その凸部を基準に回転させた後前記ケース体にフック止めされることを特徴とする請求項１に記載の表示装置である。
【００１１】
このように構成することにより、最初に位置決めした後に回転することで簡単にフック止めすることができ、組み立て作業性に優れている。
【００１２】
また請求項４では、前記第１の光源および前記第２の光源と対向する前記第１の導光体および第２の導光体の受光部側の板厚寸法を厚く形成するとともに、前記各光源から遠方に位置する各導光体の板厚寸法を薄く形成してなることを特徴とする請求項１に記載の表示装置である。
【００１３】
このように構成することにより、それぞれの光源からの光を受け入れやすくしかも遠方に位置する表示領域までも各導光体を介して明るく照らし出すことが可能となる。
【００１４】
また請求項５では、前記第１の導光体と前記第２の導光体との間であって、前記遮光部材の底面から延びる遮光壁部を前記第１の導光体の前記受光部と前記第２の導光体の前記受光部との位置からさらに前記各光源側に延出してなることを特徴とする請求項１または請求項４に記載の表示装置である。
【００１５】
このように構成することにより、たとえば第１，第２の各光源の発光色が異なる場合に、光源色の混合を防止し、各表示領域を異なる色で良好に照明することができる。
【００１６】
また請求項６では、前記表示パネルと前記第１および第２の導光体との間に拡散板を配設してなることを特徴とする請求項１から請求項５のいずれかに記載の表示装置である。
【００１７】
このように構成することにより、拡散板によって照明輝度を均等化して表示パネルを透過照明することが可能となる。
【００１８】
また請求項７では、前記拡散板には、前記表示パネルの第１の表示領域と第２の表示領域との境目箇所に拡散処理を施してなることを特徴とする請求項６に記載の表示装置である。
【００１９】
このように構成することにより、第１の表示領域と第２の表示領域との境目箇所において、拡散処理を施すことによって色むらが生じることを未然に防ぐことができ、照明による見栄えも良好となる。
【００２０】
また請求項８では、前記遮光部材が白色系の合成樹脂からなることを特徴とする請求項６または請求項７に記載の表示装置である。
【００２１】
このように構成することにより、簡単に成形することができるとともに、第２の導光体を覆い、かつ第１の導光体との間に配置される遮光部材を白色系樹脂により成形することによって暗色系に比べて反射効率を高めることができ、照明輝度を低下することなく表示パネルを透過照明することができる。
【発明の効果】
【００２２】
本発明では、枠状のケース体と、このケース体の前面側に配置される表示パネルと、前記表示パネルを照明するための第１の光源および第２の光源と、前記第１の光源の光を前記表示パネルの第１の表示領域に導く第１の導光体と、前記第２の光源の光を前記表示パネルの第２の表示領域に導く第２の導光体と、前記第１の導光体と前記第２の導光体との間であって少なくとも重合領域を含む範囲に配置される遮光部材と、を備えた表示装置において、前記ケース体に第１の導光体を配置するとともに、前記第２の光源と対峙する前記第２の導光体の受光部の領域を除いた側周面を覆う周壁部と底面を覆う底面部とを設けた前記遮光部材に前記第２の導光体を保持した状態にて前記第１の導光体の上部に配置してなることを特徴とする表示装置であるため、遮光部材に第２の導光体を保持した状態にて第１の導光体の上面側にセットすることができ、従来のように部品を個別に順次組み付けるという煩わしさも解消することができ、組み付け作業能率を向上することができるものであり、これにより所期の目的を達成することができる。
【図面の簡単な説明】
【００２３】
【図１】本発明の第１の実施形態を車両用の指示計器に適用した表示装置の正面図である。
【図２】図２は、図１の指示計器を含む表示装置を示す断面図である。
【図３】図３は、図１の要部を示す表示装置の正面図である。
【図４】図４は、図３の表示装置の要部を示す断面図である。
【図５】図５は、図４の構成部品を分解した状態を示す断面図である。
【図６】図６は、図４における表示装置の主要部構造を示す分解斜視図である。
【発明を実施するための最良の形態】
【００２４】
以下、本発明を適用した第１実施形態を添付図面に基づいて説明する。
【００２５】
本発明の実施形態による表示装置Ｄの全体構造は、各図に示すようにメインケース１と、ケース体２と、第１の導光体３と、遮光部材４と、第２の導光体５と、拡散板６と、表示パネル７と、前面パネル８と、硬質性の回路基板９とから全体が構成されている。
【００２６】
メインケース１は、遮光性の合成樹脂材料からなり、車両などの指示計器Ｍを収納するとともに、表示装置Ｄを収納するように構成している。
【００２７】
ケース体２は、遮光性の合成樹脂からなり、第１の導光体３を含む表示装置Ｄ全体構成要素を支持および結合するフレームとしての機能を有する。
【００２８】
第１の導光体３は、透光性合成樹脂材料からなり、回路基板９上の第１の光源Ｌ１の光を表示パネル７の第１の表示領域ＡＲ１へ導くもので、第１の光源Ｌ１の光を受け入れる受光部３Ａと、一対の位置決め凸部３Ｂと、発光面３Ｃとから主に構成されており、表示パネル７に沿って板状に延びて形成されており、第１の光源Ｌ１に対向する受光部３Ａ側の板厚寸法を厚く形成するとともに、第１の光源Ｌ１から遠方に位置する第１の導光体３の板厚寸法を薄くなるように形成している。
【００２９】
遮光部材４は、白色系の遮光性合成樹脂部材からなり、第２の導光体５を収納可能（保持可能）で後述する第２の導光体５の発光面および受光部を遮らないような箱型形状（枠状）となっている。
【００３０】
第２の導光体５は、透光性合成樹脂部材からなり、回路基板９上の第２の光源Ｌ２の光を表示パネル７の第２の表示領域ＡＲ２へ導くもので、表示パネル７に沿って板状に延びるように形成されている。
【００３１】
遮光部材４と第２の導光体５を組み合わせることで、導光体ユニットＵを構成している。
【００３２】
拡散板６は、第１の導光体３および第２の導光体５によって導かれた光が表示パネル７を透過する前に照明の明暗を抑制させるため光を拡散させるもので、表示パネル７の背面を覆う板状の形状であり、この拡散板６には表示パネル７の第１の表示領域ＡＲ１と第２の表示領域ＡＲ２との境目に相当する箇所に拡散処理として白色の印刷層などからなる拡散層６Ａが設けられている。なお、拡散する手段としては、印刷に変えて拡散板６の表面に細かい凹凸による拡散処理を施したり、印刷による拡散層との組み合わせなどでも良いものである。
【００３３】
表示パネル７は、例えば液晶表示パネルからなり、ユーザーに必要な各種情報を表示し、第１の導光体３により照明される第１の表示領域ＡＲ１と、第２の導光体５とによって照明される第２の表示領域ＡＲ２とを有しており、表示パネル７の一方の端部側には外部へと電気的に引き回し形成するためのフレキシブルプリント配線板Ｆ１が設けられている。
【００３４】
前面パネル８は、表示パネル７の第１、第２の表示領域ＡＲ１，ＡＲ２以外を覆い隠すように表示パネル７の前面側に沿って配設される枠状のパネルによって形成されている。
【００３５】
回路基板９は、第１の導光体３の受光部３Ａおよび第２の導光体５の受光部５Ａのそれぞれに対応して一列に複数個配置された第１、第２の光源Ｌ１，Ｌ２を有し、表示パネル７に対し鉛直方向に配置される。この場合、第１の光源Ｌ１は、例えば第１の導光体３の受光部３Ａに対応して一列に複数個配置された発光ダイオードからなり、その発光色として白色の光源が回路基板９に実装されている。また第２の光源Ｌ２は、例えば第２の導光体５の受光部５Ａに対応して一列に複数個配置された発光ダイオードからなり、発光色が白色の光源と、発光色が赤色の光源とが交互に位置するよう回路基板９上に実装されている。そしてこれらの光源は、図示しない制御回路にて選択的に発光色が切り替え点灯することができるように設けられている。
【００３６】
この実施形態における回路基板９には、第１および第２の光源Ｌ１，Ｌ２が実装される側と反対側に面した回路基板９上にコネクタＣ１，Ｃ２が実装されており、表示パネル７から引き回し形成されたフレキシブルプリント配線板Ｆ１とコネクタＣ１とが電気的に接続されるとともに、コネクタＣ２を介して指示計器Ｍのメイン基板となる回路基板９Ａに実装されているコネクタＣ３とをフレキシブルプリント配線板Ｆ２などを介して電気的に接続するように構成している。
【００３７】
次に、導光体ユニットＵについて詳述する。
【００３８】
遮光部材４は、第２の導光体５を載置する底面部４Ａと第２の導光体５の受光部５Ａの領域を除く側周面を覆う周壁部４Ｂと、第２の導光体５をフック止め固定するための一対の係止用フック部４Ｃと、一対の凸部４Ｄとから主に構成されている。
【００３９】
底面部４Ａは、第２の導光体５を支持するとともに、底面を覆うことで第１の導光体３で導かれた光と互いに照明色が混じり合わないように遮光するようにしている。
【００４０】
また周壁部４Ｂは、第２の導光体５の周壁部を覆い、第１の導光体３で導かれた光と互いに色混じりしないように遮光するように構成している。
【００４１】
一対の係止用のフック部４Ｃは、第２の導光体５の係止部５Ｂと嵌合し、第２の導光体５を遮光部材４へ固定するように構成している。
【００４２】
一対の凸部４Ｄは、ケース体２に設けられた一対の凹部２０へ挿入され、ケース体２へフック止めされる際の回転中心となる。
【００４３】
第２の導光体５は、第２の光源Ｌ２の光を受け入れる受光部５Ａと、一対の係止部５Ｂと、発光面５Ｃとから主に構成されている。
【００４４】
受光部５Ａは、第２の光源Ｌ２からの光を第２の導光体５へ取り込むために設けられており、第２の光源Ｌ２に対向する受光部５Ａ側の板厚寸法を厚く形成するとともに、第２の光源Ｌ２から遠方に位置する第２の導光体５の板厚寸法を薄くなるように形成している。
【００４５】
一対の係止部５Ｂは遮光部材４に設けられた一対のフック部４Ｃと嵌合し、第２の導光体５を遮光部材４へ固定する。
【００４６】
発光面５Ｃは、導かれた光を表示パネル７の第２の表示領域ＡＲ２へ出光する面で、表示パネル７に沿って設けられる。
【００４７】
従って、本実施形態においては、第２の導光体５と遮光部材４とを導光体ユニットＵ化し、組み立て工程上において二つの部品の積み上げ構造を可能とすることで組み立て部品点数を減らすことが可能になるので、組み付け性を容易にすることができる。
【００４８】
この際、導光体ユニットＵを第１の導光体３上にてケース体２に対してフック止めされる構造であるため、容易に固定することができる。
【００４９】
すなわち、ケース体２に対して位置決めされる一対の凸部４Ｄを備え、凸部４Ｄをケース体２の一対の凹部２０を基準に回転させた後ケース体２に設けた係止用フック部２１にて遮光部材４の端部がフック止めされるため、第２の導光体５とともに遮光部材４が導光体ユニットＵ化された状態にて簡単に組み付けることができ、これにより組立作業性に優れている。
【００５０】
また、ケース体２には、第２の導光体５とともに遮光部材４が導光体ユニットＵ化された状態にて遮光部材４の凸部４Ｄを受け入れる一対の凹部２０が設けられるとともに、係止用フック部２１が設けられ、さらに第１の導光体３を載置する載置面部２００が設けられ、次いで導光体ユニットＵを載置する載置段部２０１と拡散板６を載せるための載置段部２０２および表示パネル７を載置するための載置段部２０３がそれぞれ設けられている。なお、表示パネル７は、ケース体２に設けたフック固定部２１０によって表示パネル７の端部がフック止め固定されるように設けられている。
【００５１】
従って、ケース体２を基準として各構成部品を順次積層状態にして組み付けることができるため、作業性を高めることができ、組み立て作業を簡素化することが可能となる。なお、第１の導光体３を載置する載置面部２００と連続して第１の導光体３に設けた位置決め凸部３Ｂの位置に合わせて位置決め係止部２２０が設けられている。
【００５２】
また本実施形態からなる表示装置Ｄにおいては、第１の光源Ｌ１および第２の光源Ｌ２と対向する第１の導光体３および第２の導光体５の受光部３Ａ，５Ａ側の板厚寸法を厚く形成するとともに、各光源Ｌ１，Ｌ２から遠方に位置する各導光体３，５の板厚寸法を薄く形成してなることにより、それぞれの光源Ｌ１，Ｌ２からの光を受け入れやすくしかも遠方に位置する表示領域までも各導光体３，５を介して明るく照らし出すことが可能となる。
【００５３】
また第１の導光体３と第２の導光体５との間であって、遮光部材４の底面部４Ａから延びる遮光壁部４０を第１の導光体３の受光部３Ａと第２の導光体５の受光部５Ａとの位置からさらに各光源Ｌ１，Ｌ２側に延出してなることにより、第１，第２の各光源Ｌ１，Ｌ２の発光色が異なる場合に、光源色の混合を防止し、各表示領域ＡＲ１，ＡＲ２を異なる色で良好に照明することができる。
【００５４】
また表示パネル７と第１および第２の導光体３，５との間に拡散板６を配設してなることにより、拡散板６によって照明輝度を均等化して表示パネル７を透過照明することができる。
【００５５】
また拡散板６には、表示パネル７の第１の表示領域ＡＲ１と第２の表示領域ＡＲ２との境目箇所に拡散処理としての白色の印刷層からなる拡散層６Ａを施してなることにより、第１の表示領域ＡＲ１と第２の表示領域ＡＲ１との境目箇所において、拡散処理を施すことによって色むらが生じることを未然に防ぐことができる。
【００５６】
また第２の導光体５を覆い、かつ第１の導光体３との間に配置される遮光部材を白色系の合成樹脂により成形することによって、暗色系に比べて反射効率を高めることができ、照明輝度を低下することなく表示パネル７を透過照明することができる。
【００５７】
なお、回路基板９は位置決め孔９０をケース体２に設けた位置決めピン２３０に差し込んで位置合わせした後、ケース体２に設けた係止用フック固定部２４０に回路基板９の端部を係合保持することにより簡単に固定保持することができる。
【００５８】
また本実施形態では、表示パネル７の二つのエリア（第１，第２の表示領域ＡＲ１，ＡＲ２）を二つの導光体３，５にて異色照明する例を示したが、二つ以上のエリアを二つ以上の導光体にて照明するようにしてもよい。
【産業上の利用可能性】
【００５９】
また、前述した実施形態においては、その適用例として車両用の指示計器を例にして説明したが、車両用の指示計器に限らず船舶用計器あるいは農業用機械や建設機械などの特殊車両の指示計器などにおいても適用することが可能であり、また表示装置Ｄの表示パネル７として液晶パネルを例にして説明したが、液晶による表示パネルに限らず、例えば車両などのインジケータ表示器の表示パネル（表示マーク）に合わせてそれぞれ個別に透過照明する表示装置においても同様な構成を採用することができるものであり、同様な効果を得ることが可能である。
【符号の説明】
【００６０】
ＡＲ１    第１の表示領域
ＡＲ２    第２の表示領域
Ｃ１，Ｃ１，Ｃ３    コネクタ
Ｄ    表示装置
Ｆ１，Ｆ２    フレキシブルプリント配線板
Ｌ１    第１の光源
Ｌ２    第２の光源
Ｍ    指示計器
Ｕ    導光体ユニット
１    メインケース
２    ケース体
３    第１の導光体
３Ａ    受光部
３Ｂ    位置決め凸部
３Ｃ    発光面
４    遮光部材
４Ａ    底面部
４Ｂ    周壁部
４Ｃ    係止用フック部
４Ｄ    凸部
５    第２の導光体
５Ａ    受光部      ５Ｂ    係止部
６    拡散板
６Ａ    拡散層（拡散処理）
７    表示パネル
８    前面パネル
９，９Ａ    回路基板
２０    凹部
２１    係止用フック部
４０    遮光壁部
９０    位置決め孔
２００，２０１，２０２，２０３    載置面部
２１０    フック固定部
２２０    位置決め係止部
２３０    位置決めピン
２４０    係止用フック固定部
【図１】
0005885024.tif 000002
【図２】
0005885024.tif 000003
【図３】
0005885024.tif 000004
【図４】
0005885024.tif 000005
【図５】
0005885024.tif 000006
【図６】
0005885024.tif 000007